(57)【要約】【課題】アーク溶接装置では、開閉器のある部分とアーク溶接電源が離れた所にあるため、開閉器のある場所ではどの出力条件が選択されたか作業者には判らない。どの条件が選択されているのか作業者の手許で判るようにすることが本発明の解決すべき課題である。【解決手段】  アーク溶接電源の出力を段階的に設定する出力条件設定器と出力の設定値に対応した電圧を作り出す段階電圧発生回路と、コンパレータ回路と、開閉信号回路からなる出力開閉・出力設定部をアーク溶接電源側に設け、この出力開閉・出力設定部と２本の信号線で接続される出力開閉器・出力表示部に選択された出力条件を段階的に表示する表示器と２本の信号線の電圧を判別する電圧判別回路と開閉器を設け、溶接電源側で2本の信号線電圧を設定された条件に対応して可変し、この電圧を溶接用トーチ側の電圧判別回路で判別し、電圧に応じて表示器を点灯するようにしている。【選択図】図１
2014213369.tif 000002
【特許請求の範囲】
【請求項１】
アーク溶接電源の出力を段階的に設定する出力条件設定器と、前記出力設定器からの信号を受けて出力の設定値に対応した電圧を作り出す段階電圧発生回路と、２本の信号線の電圧を判別するコンパレータ回路と、前記コンパレータ回路の出力信号を受けて動作する開閉信号回路からなる出力開閉・出力設定部と、前記出力開閉・出力設定部と前記２本の信号線で接続される出力開閉器・出力表示部に選択された出力条件を段階的に表示する表示器と、前記２本の信号線の電圧を判別する電圧判別回路と、開閉器から構成され、前記段階電圧発生回路の出力を前記２本の信号線に加え、前記２本の信号線の電圧を前記電圧判別回路で判別して前記表示器を表示させるように構成したアーク溶接装置。
【請求項２】
アーク溶接電源の出力を段階的に設定する出力条件設定器と、前記出力設定器からの信号を受けて出力の設定値に対応した電流を作り出す段階電流発生回路と、２本の信号線の電圧を判別するコンパレータ回路と、前記コンパレータ回路の出力信号を受けて動作する開閉信号回路からなる出力開閉・出力設定部と、前記出力開閉・出力設定部と前記２本の信号線で接続される出力開閉器・出力表示部に選択された出力条件を段階的に表示する表示器と、前記２本の信号線の電流を判別する電圧判別回路と、開閉器から構成され、前記段階電流発生回路の出力を前記２本の信号線に加え、前記２本の信号線の電流を前記電流判別回路で判別して前記表示器を表示させるように構成したアーク溶接装置。
【請求項３】
前記選択された出力条件を段階的に表示する表示器において、前記２本の信号線の電圧の段階と同数の発光ダイオードを用い、発光する発光ダイオードの個数が前記出力条件設定器の設定値に対応するように構成した請求項１に記載のアーク溶接装置。  
【請求項４】
前記選択された出力条件を段階的に表示する表示器と前記２本の信号線の電圧を判別する電圧判別回路とにおいて、順方向電圧の異なる発光ダイオードを使用し、前記２本の信号線の電圧の段階に対応して発光素子の発光色を切り換えるように構成した請求項1に記載のアーク溶接装置。  
【請求項５】
前記２本の信号線の線間電圧が0Ｖになる時、前記コンパレータ回路にて前記開閉器がオンされたと判定するように構成した請求項１に記載のアーク溶接装置。
【発明の詳細な説明】
【技術分野】
【０００１】
この発明は、アーク溶接装置に関するものである。
【背景技術】
【０００２】
特許文献１はアーク溶接機においてその出力条件の調整を簡単に調整する手段を提案するものである。
【０００３】
特許文献１に記載のアーク溶接機は、頻繁に溶接条件を切り換えないといけない場合、２通りの溶接出力条件をあらかじめ設定しておき、溶接開始用のトーチスイッチのオン期間を監視して、その期間がトーチ監視時間未満と判別した後に、トーチ監視時間内に再度オンにして第２の溶接電圧設定値、第２の溶接電流設定値へと切り換えることを特徴とするアーク溶接機である。
【０００４】
先行発明のアーク溶接機は、トーチスイッチの開閉操作によりアーク溶接機の出力条件を切り換えるようにしたものである。
【０００５】
アーク溶接電源部とトーチスイッチに至る２本の信号線のみで操作を可能にしているがどの溶接条件が選択されどの条件で溶接を行おうとしているのかが実際の作業者には判らない。
【０００６】
出力条件の切り換え操作は可能であっても、どの条件で溶接するのか判らないと、作業者に間違った条件で溶接しまうのではないかという不安を抱かせることになる。
【先行技術文献】
【特許文献】
【０００７】
【特許文献１】特許公開２００５−１４４４５３号公報
【発明の概要】
【発明が解決しようとする課題】
【０００８】
先行発明ではトーチスイッチを操作している作業者がどの溶接条件で溶接しているのか判らない。そのため、どの出力条件で溶接されているか知るために機器のところまで行って確認しないといけない煩わしさがある。どの条件が選択されているのか溶接を開始する前に作業者の手許で判るようにすることが本発明の解決すべき課題である。
【課題を解決するための手段】
【０００９】
本アーク溶接装置は、アーク溶接電源の出力を段階的に設定する出力条件設定器と出力の設定値に対応した電圧を作り出す段階電圧発生回路と２本の信号線の電圧を判別する電圧判別回路と、前記電圧判別回路の出力信号を受けて動作する開閉信号回路からなる出力開閉・出力設定部をアーク溶接電源側に設け、この出力開閉・出力設定部と出力開閉器・出力表示部を２本の信号線で接続し、この出力開閉・出力設定部に選択された出力条件を段階的に表示する表示器と２本の信号線の電圧を判別する電圧判別回路と開閉器を設けている。
【００１０】
2本の信号線電圧を出力条件設定器で設定された条件に対応して段階電圧発生回路出で可変し、この電圧を作業者の近くの電圧判別回路出で検出し電圧に応じて表示器を点灯するようにしている。
【００１１】
開閉器の動作は、2本の信号線の電圧が０Ｖになることを出力開閉・出力設定部のコンパレータを用いて判別している。
【発明の効果】
【００１２】
本発明のアーク溶接装置では、選択された出力条件を作業者が見えるように作業者の近くでどの出力条件で選択されているのか表示させている。そのため、どの出力条件で溶接することになるのか作業者が容易に判断できる。
【００１３】
どの条件が選択されているのかを溶接開始をする前に作業者の手許で判るので、開閉器をオンした後、機器のところまで行って、どの出力条件で溶接されているか確認しなくて済む。
【００１４】
また、溶接電源と開閉器を結ぶ２本の信号線を使って選択された出力条件表示を可能にしているので、選択された出力条件を表示するための専用の信号線を追加することはない。
【００１５】
どの条件で溶接するかは作業者が判るから作業者に間違った条件で溶接し、溶接欠陥を出してしまうのではないかという不安がなくなる。
【図面の簡単な説明】
【００１６】
【図１】本発明のアーク溶接装置の構成
【図２】本発明のアーク溶接装置の回路図
【発明を実施するための形態】
【００１７】
アーク溶接電源と開閉器のある溶接用トーチを結ぶ２本の信号線の電圧を設定条件によって可変し、その電圧を溶接トーチ側で検出し表示する方式と、この２本の信号線に流れる電流を設定条件によって可変し、その電流を溶接トーチ側で検出し表示する方式の二通りのものが考えられるが、ここでは電圧値を検出し表示する実施例について説明を行う。図１に本発明のアーク溶接装置の構成を、図２に本発明のアーク溶接装置の電気回路図を示す。図１において、１は出力開閉器・表示器部、1-1は表示器、1-2は電圧判別回路、1-3は開閉器、2は出力開閉・出力設定部、2-1は段階電圧発生回路、2-2は出力条件設定部、2-3はコンパレータ回路、2-4は開閉信号回路、3は1の出力開閉器・出力表示部と2の出力開閉・出力設定部を結ぶ２本の信号線である。
【００１８】
図１における１の出力開閉器・表示器部は、1-1の表示器、1-2の電圧判別回路、1-3の開閉器より構成される。  また、2の出力開閉・出力設定部は、2-1の段階電圧発生回路、2-2の出力条件設定部、2-3のコンパレータ回路、2-4の開閉信号回路より構成される。
【００１９】
図１を用いて出力条件設定信号の流れと選択された出力条件の表示の原理について説明する。2の出力開閉・出力設定部の2-2の出力条件設定部の設定信号は、2-1の段階電圧発生回路で増幅され、3の1の出力開閉器・出力表示部と2の出力開閉・出力設定部を結ぶ3の２本の信号線に送られ、この線間電圧を2-2の出力条件設定部で選択された出力条件に対応した電圧の値にする。
【００２０】
１の出力開閉器・表示器部で、1-2の電圧判別回路にてこの電圧を判別し、1-1の表示器で設定された出力条件に対応する表示器を点灯させる。
【００２１】
一方、1-3の開閉器がオンされた時は、2-3のコンパレータ回路にて判断し、2-4の開閉信号回路を動作させ、開閉器がオンされたことを溶接電源側に伝える。
【００２２】
図2は、本発明のアーク溶接装置の電気回路図である。図１の本発明のアーク溶接装置の構成の構成要素を具体的回路で示したものである。図2において、5は表示用ＬＥＤ、６は低電圧用ダイオード、７は開閉器、8は２本の信号線、9はコンパレータ、10は基準電圧設定用抵抗、11はリレー、12はトランジスタ、13はリレーの接点、14はＯＰアンプ、15は出力条件設定器、16は分圧用抵抗、17は制限用抵抗である。
【００２３】
16の分圧用抵抗で電圧を分圧された電圧を15の出力設定器を介して、14のＯＰアンプの非反転入力に加えている。14のＯＰアンプの出力は17の制限用抵抗を介して8の２本の信号線につながっているので、この2本の信号線間の電圧は15出力設定器で選択された出力条件に対応した電圧となる。
【００２４】
8の２本の信号線の電圧が６の定電圧ダイオードの降伏電圧以上になると、その定電圧ダイオードの直列に接続されている5の表示用ＬＥＤが点灯する。
【００２５】
このように本発明では、アーク溶接を開始する前に、どの出力条件に設定されているか判らないという不安を解消するため、溶接用トーチにある開閉器に至る２本の信号線の電圧を設定された条件によって可変し、その電圧を判別して主力条件設定器の設定に対応した表示用ＬＥＤを点灯させている。
【００２６】
電圧判別回路部の６の定電圧ダイオードの代わりに色の異なる発光ダイオードを用いることも可能である。赤、緑、青などの発行ダイオードはその発光色によりその順方向電圧が異なる。これらの異なる発行色のＬＥＤが１個のパッケージに入った発光ダイオードを表示示用ＬＥＤとして用いると、表示部と電圧判別回路が１個の表示用ＬＥＤで済み小型化できる。  小型化が実現できれば、溶接用トーチのようなものにも出力条件表示するＬＥＤを組み込むことが可能となる。
【００２７】
一方、７の開閉器がオンすると8の2本の信号線間の電圧は０Ｖとなるため、表示用ＬＥＤは点灯しないが、開閉器をオンする前にどの条件で溶接することになるかが作業者には判るので溶接中に点灯しなくてもかまわない。
【００２８】
開閉器がオンした状態で2本の信号線間の電圧が０Ｖになると、溶接電源側の出力開閉・出力設定部にある9のコンパレータの出力がハイとなり、12のトランジスタが駆動し11のリレーをオンさせる。13のリレーの接点を介して、溶接トーチ側にある７の開閉器がオンされたことをアーク溶接電源側に伝え、アーク溶接装置を起動させることができる。
【産業上の利用可能性】
【００２９】
本発明は、広い作業場で頻繁に出力条件を切り換えて使用する大型構造物のアーク溶接機に利用される外に、開閉器がケーブルを用いて離れた所に設置される電気機器にも適用できる。次のような電気機器に利用の可能性がある。
（1）換気扇が高い位置にあり開閉装置が人の届く位置にある大型換気扇
（2）速度が数段階設定可能なホイストクレーン
（3）開閉機構がケーブルで接続されている電動式大型カーテン
【符号の説明】
【００３０】
１  出力開閉器・表示器部
1-1  表示器
1-2  電圧判別回路
1-3  開閉器
2    出力開閉・出力設定部
2-1  段階電圧発生回路
2-2  出力条件設定部
2-3  コンパレータ回路
2-4  開閉信号回路
3    ２本の信号線
5    表示用ＬＥＤ
6    低電圧用ダイオード
7    開閉器
8    ２本の信号線
9    コンパレータ
10    基準電圧設定用抵抗
11    リレー
12    トランジスタ
13    リレーの接点
14    ＯＰアンプ
15    出力条件設定器
16    分圧用抵抗
17    制限用抵抗
【図１】
2014213369.tif 000003
【図２】
2014213369.tif 000004